(57)【要約】【課題】紹介者として原点に立つ原会員と配置販売の新顧客を獲得するために、従来と比較して労力と時間が要しなくなる商品の連鎖販売システム及び配置販売システムを提供する。【解決手段】特定商品の消費者を組織に加入させ、加入した顧客を会員としてその紹介を順次繰り返して組織をピラミッド式に拡大して行く商品の連鎖販売システムにおいて、その原会員の獲得について、多数の配置販売業者を配下に置き、その特定商品を配置販売の商品と共に顧客に配置することにより、その特定商品について配置先の顧客を連鎖販売システムの見込会員となすと共に、配置販売業者への見返りとして、連鎖販売システムから生れた見込会員（新顧客）を、配置販売業者への見込客（新懸）となすことを特徴とする。【選択図】    図１
2004318631.tif 000002
【特許請求の範囲】
【請求項１】
特定商品の消費者を組織に加入させ、加入した顧客を会員としてその紹介を順次繰り返して組織をピラミッド式に拡大して行く商品の連鎖販売システムにおいて、その原会員の獲得について、多数の配置販売業者を配下に置き、その特定商品を配置販売の商品と共に顧客に配置することにより、その特定商品について配置先の顧客を連鎖販売システムの見込会員となすと共に、この見込会員が上記配置販売業者の新懸の見込客となり新懸ができることを特徴とする商品の連鎖販売システム及び配置販売システム。
【発明の詳細な説明】
【０００１】
【発明の属する技術分野】
この発明は、薬の配置業者が取り扱うような商品、例えば健康食品や健康器具等の特定商品について、販売促進を有効になすためのＭＬＭ（マルチ・レベル・マーケティング）的な商品の連鎖販売システム及び配置販売システムに関する。
【０００２】
【従来の技術】
ＭＬＭは、販売組織の加盟者が消費者を組織に加入させ、紹介によりさらにその消費者に別の消費者を加入させることを次々に行うことにより、組織をピラミッド式に拡大してゆく商法をいい、「特定商取引に関する法律」により「連鎖販売取引」として規制されているものの、ねずみ講が金銭配当組織であり新しい加入者の勧誘が必ず行き詰まるのとは違って、ＭＬＭは、加入者がマージンを受け取る組織的販売方式であり適切な運営を行えば事業を維持することは可能であるということで、法により禁止されていないため、各種商品の販売促進に合法的に用いられる。
【０００３】
しかし、販売組織の加盟者が最初に消費者としての原紹介者を得ることは極めて困難であって、親族や知人、あるいはそれらの紹介による人に当たることはもとより、個別訪問的な営業活動を行い、さらには決起集会のような会合を開いて販売組織を固めるというように、多大な労力と時間を要していた。同様に、配置販売業の分野でも新懸（新規顧客獲得）に多大な労費と時間とを要していた。
【０００４】
【発明が解決しようとする課題】
この発明は、上記のような実情に鑑みて、紹介者として原点に立つ原会員と配置販売の新顧客を獲得するために、従来と比較して労力と時間が要しなくなる商品の連鎖販売システム及び配置販売システムを提供することを目的とした。
【０００５】
【課題を解決するための手段】
上記の目的を達成するために、この発明は、特定商品の消費者を組織に加入させ、加入した顧客を会員としてその紹介を順次繰り返して組織をピラミッド式に拡大して行く商品の連鎖販売システムにおいて、その原会員の獲得について、多数の配置販売業者を配下に置き、その特定商品を配置販売の商品と共に顧客に配置することにより、その特定商品について配置先の顧客を連鎖販売システムの見込会員となすと共に、配置販売業者への見返りとして、連鎖販売システムから生れた見込会員（新顧客）を、配置販売業者への見込客（新懸）となすことを特徴とする商品の連鎖販売システム及び配置販売システムを提供するものである。
【０００６】
【作  用】
商品の連鎖販売システムを上記のように構成したから、本システムの運営企業は、薬の配置業者に依頼して、配置業者の取扱い商品の一部として配置先の顧客の薬箱に納入させ、顧客が連鎖販売システムの原会員となる資格がある旨を説明する。つまり、顧客はその特定商品を普通の配置薬と同様に消費して、消費した分の料金を配置業者の次の訪問の際に支払うこともできるし、消費した結果、継続して消費したいと欲した時には、連鎖販売システムの運営企業に加入して原会員となることができる。
【０００７】
また、薬の配置販売業者は、本システムの運営企業に対して薬箱を必要としている会員を創出させ、配置販売業への見込客とすることができる。即ち、この連鎖販売システムが紹介を繰り返した組織に対して、配置販売業者は、新懸（新規顧客獲得）の見込客とすることができ、容易に新懸ができる。
【０００８】
薬の配置は、越中富山の売薬として江戸時代から３００年続く「先用後利商法」であって、配置業者が顧客に幾種類もの薬を配置し、顧客が必要に応じて選択的に消費し、配置業者が次に回って来たときに消費した分の薬代金を支払うというもので、顧客との相互信頼関係の上に成り立っている。この信頼関係や日頃の親密さにより顧客に対して本連鎖販売システムを利用しやすく抵抗なく説明できる利点がある。また、配置業者が富山県に集中しているので、分散しているよりもそれを配下に置きやすく、しかも、地域を問わず回っているので、全国的に組織を拡大しやすく、広く原会員を獲得することができる。
【０００９】
また、上記連鎖販売システムの構築により、配置顧客から紹介された新しい連鎖販売顧客（配置以外の顧客）に、配置販売業の分野において、現在非常に困難になってきた新規開拓（新懸）が容易にできるという、一石二鳥の画期的システムでもある。
【００１０】
【発明の実施の形態】
次に、この発明の実施の形態を図面に基づいて具体的に説明する。
【００１１】
図１は、本システムの全体的な説明図であって、販売組織として本システムの運営企業１が設立されており、これがメーカーから卸した商品を販売するために、その直属に薬の配置業者３を置いている。商品としては特に限定するものではないが、配置業者３が普通に取り扱うような健康食品や健康器具が適当である。それには、例えば、血栓を防止することで知られるミミズから抽出した健康食品や肥満防止食品、スタミナ食品、その他健康器具等であって、以下、特定商品ということにする。
【００１２】
運営企業１は、配下の配置業者３に依頼してその業者が取り扱う商品、つまり、顧客５の薬箱に納入される商品のうちに特定商品を納めてもらう。配置業者３は、このとき、顧客５がその特定商品の消費について、次の二通りの形態があることを告げる。なお、顧客５は薬局であることもある。
▲１▼  特定商品は、普通の薬等と同様に消費してもよく、その場合は、配置業者３が訪問したときに代金を支払う。所謂従来形（先用後利）の形態である。
▲２▼  特定商品を気に入って継続して消費するときには、本システムに加入することができる。この会員登録があると、特定商品に限り先用後利商法から脱却した状態となり、本システムに組み込まれるが、顧客５は原会員としての有利な地位を獲得する。この点については、会員は、他人を紹介することによりボーナスを受け取ることもできる旨を伝達し、本システムや会員となる手続きや利益などを説明書等にしたがい簡単に説明する。したがって、この時点において、配置業者３の顧客５は将来会員となる確率の高い見込会員となる。
【００１３】
会員登録の手続きは、本システムの運営企業１に対して顧客５が自分でなすが、配置業者３が代行して良い。いずれにしても、薬の配置の際には、特定商品と共に会員登録申請書用紙を顧客５に渡しておくようにすることが望ましい。会員登録の条件は、「特定商取引に関する法律」等や商取引の原則に従い、例えば、「満２０歳以上であり、学生ではないこと。」等のようにして規定してトラブルを未然に防止する。配置業者３も会員登録できる。しかし、その時点で紹介が進んでいると、例えば、図１において、「ロ」まで会員登録されていると、その会員の下の「あ」，「い」と同列のブランチ会員となる。
【００１４】
会員登録については、例えば次のように規定する。
▲１▼  会員申請、定期購入契約（口座引落）の締結及び会員登録費として３，０００円の支払いにより会員として登録される。
▲２▼  初回、２ヵ月目は代金引換え宅配により商品を送る。
▲３▼  登録後は紹介活動をすることができる。
▲４▼  毎月（アクティブ月であるとき）、規定のボーナス権利が発生する。
▲５▼  会員の有効期限は、最終購入月より１年間とする。その間に購入のない場合、ポジションを喪失する。
なお、アクティブとは、当月購入したことに基づく各種ボーナスを得る資格をいうものとする。
【００１５】
各種ボーナスの受給条件は次の通りである。太線の○がアクティブとする。
▲１▼  スポンサーボーナス（図２）
会員が直接紹介した会員登録につき、一定額が支払われるボーナス。
基本形と複数紹介の場合とがあり、基本形であると、図示の場合、アクティブ２名紹介となり、複数紹介の場合は、アクティブ３名紹介となり、それぞれ単位ボーナスにその数を掛けたスポンサーボーナスとなる。
▲２▼  フロンィアボーナス（図３）
本人会員７が直接紹介したアクティブ会員数１０名毎を１口とし、総売上の２％を口数に応じて均等配分するボーナス。ブランチ（枝分かれ）会員は対象とならない。また、紹介した会員もアクティブである必要がある。図示の場合、１１名のアクティブ会員となり、１口のフロンティアボーナスが得られる。
▲３▼  シンメトリックボーナス（図４）
当月、本人会員７の左右の系列の、累計ポイント数の対象値に一定金額（例えば２００円）を掛けた金額が支払われるボーナス。この場合、当該会員７が紹介した左右各１名以上の会員がアクティブであること。
▲４▼  サポートボーナス（図５）
本人会員７が直接紹介した会員（ブランチを含む）への応援により紹介した会員が受給するシンメトリックボーナスの１／４を受け取ることができる。
図示の場合、本人会員７が３名の会員８，８，９の応援をして所定のポンントを得たことを示している。
▲５▼  エージェントボーナス（図６）
本人会員７の左右の系列に、それぞれ２０名以上のアクティブ会員を達成した場合、本人会員７はエージェントに昇格し、会社総売上より１％を均等分配する。図示の場合、Ａ，Ｂの系列の総計が２０名以上であることを示す。
▲６▼  マネージャーボーナス（図７）
本人会員７の左右系列に、それぞれ１００名以上のアクティブ会員を達成した場合、本人会員７はマネージャーに昇格し、会社の総売上より１％均等分配される。図示の場合、Ｃ，Ｄの系列の総計が１００名以上であることを示す。
▲７▼  プロデューサーボーナス（プレミアム）（図８）
本人会員７の直接紹介した２名以上がマネージャーボーナス取得者であり、且つ左右系列にそれぞれ５００名以上のアクティブ会員を３ヵ月間連続で達成した場合、本人会員７はプロデューサーに昇格し、翌月会社総売上より１％が均等分配される。図示の場合、Ｅ，Ｆの系列の総数が５００名以上であることを示す。
【００１６】
なお、上記した実施の形態はあくまでも例示であり、これに限定されることなくその他様々となり得ることは申すまでもない。
【００１７】
【発明の効果】
以上説明したように、この発明の商品の連鎖販売システムによれば、販売組織が紹介者として原点に立つ原会員を獲得するために、先用後利を旨とする売薬の配置システムを利用することにより、従来と比較して労力と時間が要しなくなることから、その特定商品の売値を安価に設定できると共に全国的に特定商品の普及を促進できるという優れた効果がある。
【００１８】
また、上記連鎖販売システムの構築により、配置顧客から紹介された新しい連鎖販売顧客（配置以外の顧客）に、配置販売業の分野において、現在非常に困難になってきた新規開拓（新懸）が容易にできるという、一石二鳥の画期的システムでもある。
【図面の簡単な説明】
【図１】この発明の一実施の形態を示す商品の連鎖販売システムの説明図である。
【図２】同システムにおいて支払われるスポンサーボーナスの説明図である。
【図３】同システムにおいて支払われるフロンティアボーナスの説明図である。
【図４】同システムにおいて支払われるシンメトリックボーナスの説明図である。
【図５】同システムにおいて支払われるサポートボーナスの説明図である。
【図６】同システムにおいて支払われるエージェントボーナスの説明図である。
【図７】同システムにおいて支払われるマネージャーボーナスの説明図である。
【図８】同システムにおいて支払われるプロディースボーナスの説明図である。
【符号の説明】
１  本システムの運営企業
３  配置業者
５  配置業者の顧客
【図１】
2004318631.tif 000003
【図２】
2004318631.tif 000004
【図３】
2004318631.tif 000005
【図４】
2004318631.tif 000006
【図５】
2004318631.tif 000007
【図６】
2004318631.tif 000008
【図７】
2004318631.tif 000009
【図８】
2004318631.tif 000010